(57)【特許請求の範囲】
【請求項１】
コンクリート部と、そのコンクリート部の前面側に取り付けられる、畳、畳床または畳表等の畳材とを備え、
この畳材の表面側には、その表面に植生基材を保持するための、植生基材保持体が設けられてなることを特徴とする植生用コンクリートブロック。
【請求項２】
前記コンクリート部は、普通コンクリート部と、その普通コンクリート部の前面側に位置するポーラスコンクリート部とからなり、前記畳材は、前記ポーラスコンクリート部の前面側に取り付けられてなることを特徴とする請求項１に記載の植生用コンクリートブロック。
【請求項３】
普通コンクリート部と、その普通コンクリート部の前面側に位置するポーラスコンクリート部と、これら普通コンクリート部とポーラスコンクリート部との間に配置される、畳、畳床または畳表等の畳材とを備え、
前記ポーラスコンクリート部の表面側には、その表面に植生基材を保持するための、植生基材保持体が設けられてなることを特徴とする植生用コンクリートブロック。
【請求項４】
前記植生基材保持体は、前記畳材を前記コンクリート部または前記ポーラスコンクリート部の前面側に取り付けるための、畳材取付体を兼ねることを特徴とする請求項１または２に記載の植生用コンクリートブロック。
【請求項５】
前記植生基材保持体は、前記植生基材を収容する収容空間を形成する複数の枠部を備えた、枠体からなることを特徴とする請求項１ないし４のいずれか1項に記載の植生用コンクリートブロック。
【請求項６】
前記植生基材保持体は、間伐材を用いて枠組みされてなることを特徴とする請求項５に記載の植生用コンクリートブロック。
【請求項７】
前記植生基材保持体は、前記コンクリート部あるいは前記普通コンクリート部に植え込まれた締着部材によって、直接的に、または、前記植生基材保持体の上面に配置した締付板を介して間接的に、前記畳材あるいは前記ポーラスコンクリート部側へと締め付けられていることを特徴とする請求項１ないし６のいずれか１項に記載の植生用コンクリートブロック。
【請求項８】
前記畳材の表面側に、前記植生基材によって被われた植生層が形成されてなることを特徴とする請求項１または２に記載の植生用コンクリートブロック。
【請求項９】
前記ポーラスコンクリート部の表面側に、前記植生基材によって被われた植生層が形成されてなることを特徴とする請求項３に記載の植生用コンクリートブロック
【発明の詳細な説明】
【０００１】
【発明の属する技術分野】
この発明は、植物の生育が可能な植生用コンクリートブロックに関する。
【０００２】
【従来の技術および発明が解決しようとする課題】
従来、この種の植生用コンクリートブロックとしては、例えば、ポーラスコンクリート部を備え、そのポーラスコンクリート部の空隙部分に土壌等を充填させるものが知られていた。このような植生用コンクリートブロックは、前記土壌等に吹き付けられたり蒔かれたりした植物の種子から植物が発芽して成長することにより、人の目に心地よく映って景観を良くすることから、例えば、擁壁を構築するための擁壁用コンクリートブロックとして用いられた。ところが、前記従来の植生用コンクリートブロックは、保水性が不十分であったり、あるいは、土壌等が流失し易いなどの理由により、長期間にわたって植生させることが困難で、短期間で衰退してしまうものもあった。
【０００３】
この発明は、上記した従来の欠点を解決するためになされたものであり、その目的とするところは、植物の生育が促進される植生用コンクリートブロックを提供することにある。
【０００４】
【課題を解決するための手段】
この発明に係る植生用コンクリートブロックは、前記目的を達成するために、次の構成からなる。すなわち、
請求項１に記載の植生用コンクリートブロックは、コンクリート部と、そのコンクリート部の前面側に取り付けられる、畳、畳床または畳表等の畳材とを備える。この畳材の表面側には、その表面に植生基材を保持するための、植生基材保持体が設けられる。これにより、吹き付けその他の適宜手段により、前記畳材の表面側に付された植生基材は、前記植生基材保持体によって保持されることにより、その流失が阻止される。そして、前記植生基材から発芽する植物は、保水性を備えるとともに腐食により有機肥料化する前記畳材によって、その生育が積極的に促進される。
【０００５】
請求項２に記載の植生用コンクリートブロックのように、前記コンクリート部は、普通コンクリート部と、その普通コンクリート部の前面側に位置するポーラスコンクリート部とからなり、そして、前記畳材は、前記ポーラスコンクリート部の前面側に取り付けられるのが好ましい。もっとも、前記普通コンクリート部と前記ポーラスコンクリート部との間にも、畳、畳床または畳表等の前記畳材が配置されても構わない。
【０００６】
請求項３に記載の植生用コンクリートブロックは、普通コンクリート部と、その普通コンクリート部の前面側に位置するポーラスコンクリート部と、これら普通コンクリート部とポーラスコンクリート部との間に配置される、畳、畳床または畳表等の畳材とを備える。そして、前記ポーラスコンクリート部の表面側には、その表面に植生基材を保持するための、植生基材保持体が設けられる。これにより、吹き付けその他の適宜手段により、前記ポーラスコンクリート部の表面側に付された植生基材は、前記植生基材保持体によって保持されることにより、その流失が阻止される。そして、前記植生基材から発芽する植物は、その根が、ポーラスコンクリート部の空隙部を通って前記畳材の位置する側に伸長することで、保水性を備えるとともに腐食により有機肥料化する前記畳材によって、その生育が積極的に促進される。
【０００７】
また、請求項４に記載の植生用コンクリートブロックのように、前記植生基材保持体は、前記畳材を前記コンクリート部または前記ポーラスコンクリート部の前面側に取り付けるための、畳材取付体を兼ねることが望ましい。このように、植生基材保持体は、畳材の表面側に設けられて、その畳材を取り付け固定する畳材取付体としての機能をも有する。
【０００８】
また、請求項５に記載の植生用コンクリートブロックのように、前記植生基材保持体は、前記植生基材を収容する収容空間を形成する複数の枠部を備えた、枠体からなるとよい。これにより、植生基材は、各枠部内に収容されるようにして保持される。
【０００９】
また、請求項６に記載の植生用コンクリートブロックのように、前記植生基材保持体は、間伐材を用いて枠組みされてなるのが好ましい。こうして、間伐材を用いることにより資源の有効利用を図ることができる。
【００１０】
また、請求項７に記載の植生用コンクリートブロックのように、前記植生基材保持体は、前記コンクリート部あるいは前記普通コンクリート部に植え込まれた締着部材によって、直接的に、または、前記植生基材保持体の上面に配置した締付板を介して間接的に、前記畳材あるいは前記ポーラスコンクリート部側へと締め付けられているのが好ましい。これにより、植生基材保持体は、前記畳材あるいは前記ポーラスコンクリート部の表面側に確実に支持される。
【００１１】
また、請求項８または９に記載の植生用コンクリートブロックのように、前記畳材または前記ポーラスコンクリート部の表面側に、前記植生基材によって被われた植生層が形成されるのが望ましい。このように、植生用コンクリートブロックは、その表面に植生層が形成され、その植生層から植物が発芽するようになる。
【００１２】
【発明の実施の形態】
以下、この発明に係る植生用コンクリートブロックの実施の形態を図面に基づいて説明する。
【００１３】
図１ないし図５は、この発明に係る植生用コンクリートブロックの第一の実施の形態を示し、図中符号１は、植生用コンクリートブロックの全体を示す。この植生用コンクリートブロック１は、例えば、縦の長さが約４００ｍｍ、横の長さが約１０００ｍｍ程の大きさの、擁壁用コンクリートブロックである。
【００１４】
この植生用コンクリートブロック１としての擁壁用コンクリートブロックは、図２に示すように、後方に突出形成される左右一対の控え壁２ａ、２ａを備えた、コンクリート部としての普通コンクリート部２と、その普通コンクリート部２の前面側に取り付けられる畳材としての畳３とを備え、この畳３の表面側には、その表面に植生基材４が保持されるよう、その植生基材４を保持するための、植生基材保持体５が設けられている。そして、この植生基材保持体５は、コンクリート部としての普通コンクリート部２に植え込まれた締着部材６によって、前記畳３側へと締め付けられている。図示実施の形態においては、前記畳３自体も前記締着部材３によって締め付けられているので、前記植生基材保持体５は、前記締着部材３によって、前記畳３とともに、コンクリート部としての普通コンクリート部へと締め付けられているともいえる。そして、前記締着部材６は、植生基材保持体５の上面に配置した締付板７を介して間接的に、植生基材保持体５を締め付けている。
【００１５】
また、前記畳３は、普通コンクリート部２の前面を、ほぼ全面的に被うように、矩形状に裁断されてなる畳であって、植物の生育を促進させるための有機質肥料となり得る肥料性部材であるとともに、保水性に優れる。
【００１６】
この畳３の表面側に設けられている前記植生基材保持体５は、前記植生基材４を収容する収容空間Ｓを形成する複数の枠部５ａ、５ａを備えた、枠体５ｂからなる。この植生基材保持体５としての枠体５ｂは、例えば、間伐材を用いて枠組みされており、畳３の表面側に、互いに平行位置して縦に複数並ぶ、例えば、２０ｍｍ程の厚みからなる第一の間伐材５ｃ、５ｃと、それら第一の間伐材５ｃ、５ｃの上側を交差して、互いに平行位置して横に複数並ぶ、例えば、２０ｍｍ程の厚みからなる第二の間伐材５ｄ、５ｄとから構成される。図示実施の形態においては、前記第一の間伐材５ｃ、５ｃは、一定の間隔を置いて五本設けられ、前記第二の間伐材５ｄ、５ｄも、一定の間隔を置いて五本設けられている。よって、前記複数の枠部５ａ、５ａは、格子状に枠組みされてなる、前記第一および第二の間伐材５ｃ、５ｃ、５ｄ、５ｄが区画する各区画部分に相当し、これら各区画部分の内側に、前記植生基材４を収容する収容空間Ｓが形成される。そして、第一の間伐材５ｃ、５ｃと第二の間伐材５ｄ、５ｄとは、両者が互いに交差する部位にて、両者を連通するピン部材５ｅ、５ｅによって一体的につながる。
【００１７】
また、植生基材保持体５としての枠体５ｂは、前記畳３を、前記普通コンクリート部２の前面側に取り付けるための、畳材取付体を兼ねている。すなわち、植生基材保持体５は、畳３の表面側に設けられてその畳３を支持することで、畳３が普通コンクリート部２と分離しないように、その普通コンクリート部２に対して取り付け固定している。
【００１８】
前記植生基材保持体５の上面に配置した前記締付板７、７は、前記第一の間伐材５ｃ、５ｃとほぼ平行に位置するとともに、前記第二の間伐材５ｄ、５ｄの上面を横切るよう配置される前記第一の間伐材５ｄ、５ｄとほぼ同じ長さを有する、長板状部材であって、図示実施の形態の場合においては、植生基材保持体５（第二の間伐材５ｄ、５ｄ）の上面の、左右両側の二箇所に設けられている。そして、締付板７、７の適宜箇所（図示実施の形態の場合では三箇所）には、厚さ方向に貫通する、前記締着部材６、６を挿通するための締着部材挿通孔（図示せず）が設けられている。これらの締着部材挿通孔（図示せず）に挿通される前記締着部材６、６は、先端部分がほぼ直角状に屈曲して前記普通コンクリート部２に植え込まれる、いわゆるアンカーボルトであって、これらアンカーボルトの頭部に形成される雄ねじ部に、四角ナット等の雌ねじ部材８、８を螺合させることにより、前記植生基材保持体５は、前記締付板７、７を介して間接的に、前記畳３とともに、前記普通コンクリート部２側に締め付けられる。
【００１９】
この植生用コンクリートブロック１に保持される植生基材４は、例えば、土壌を基材として、好ましくは肥料、粘着材等を混合してなる吹き付け材４ａからなる。もっとも、植生基材４は、少なくとも、土壌を含有していればよく、肥料とか粘着材の添加は任意であり、また、土壌、肥料、粘着材以外にも、必要に応じて、例えば、種子、土壌活性材（土壌改良材）、保水材等が混入されていても構わない。
【００２０】
次に、この第一の実施の形態に係る植生用コンクリートブロックに、前記植生基材４としての吹き付け材４ａを吹き付ける方法、および植生基材４から植物が発芽して生育する過程につき、図３および図４に基づいて、説明する。
【００２１】
まず、植生用コンクリートブロック１を用いて擁壁Ｑを構築するため、複数のコンクリートブロック１、１を、左右に並べるとともに、前記畳３、３の表面が上方を向くように、斜め上方に積み上げて、所要の傾斜角を有する擁壁Ｑを構築する。
【００２２】
そして、この擁壁Ｑの法面を構成する、複数の前記畳３、３の表面に向けて、前記植生基材４としての吹き付け材４ａを吹き付ける。すると、植生基材４としての吹き付け材４ａは、畳３、３の表面側に設けられた植生基材保持体５、５が、すっぽりと隠れる程度の厚みにまで堆積し、その結果、畳３、３の表面側には、植生基材４によって被われた植生層１０が形成される。ちなみに、図示実施の形態の場合、植生層１０は、約５０ｍｍ程の厚みに形成される。かかる植生層１０は、植生基材４が、前記植生基材保持体５、５に、しっかりと保持されているからこそ形成されるのであり、そして、植生基材保持体５、５の前記第二の間伐材５ｄ、５ｄは、下方に流動しようとする植生基材４を、せき止めている。そして、前記植生基材４としての吹き付け材４ａに種子が含まれていない場合には、植生層１０の表面に、植物の種子を蒔いたり吹き付けたりして吹き付け工程を完了させる。
【００２３】
その後、月日を経ることで、植生層１０を形成する植生基材４に含まれる種子から植物１１、１１が発芽するようになる。さらに植物１１、１１が成長すると、植物の根１１ａ、１１ａは、前記畳３、３の内部にまで伸長する。すると、植物１１、１１は、腐食により有機肥料化した畳３、３の養分を吸収しつつ、成長し続けるので、その生育は、積極的に促進され、その結果、擁壁Ｑの法面を長期間にわたって植生させる。このような畳３、３に代えて、畳床、畳表等の他の畳材を用いても構わない。これら畳３、３、畳床または畳表等の畳材は、保水性においても優れている。また、廃棄処分が苦慮されている、使用済の畳、畳床または畳表等の畳材を用いる場合には、産業廃棄物の有用な再利用を図ることができるので好ましい。もちろん、使用済の畳、畳床または畳表等の畳材を用いる場合には、製品コストを安価に抑えられるというメリットもある。
【００２４】
また、前記植生基材保持体５、５は、間伐材から構成されるので、資源の有効利用を図ることができる。
【００２５】
なお、この発明に係る植生用コンクリートブロックは、上記した実施の形態に限らず、その他にも種々の変更が可能である。例えば、この発明に係る、第二の実施の形態の植生用コンクリートブロック１ａは、図５および図６に示すように、後部側にて後方に突出形成される一対の控え壁２ａ、２ａを備えた、普通コンクリート部２と、その普通コンクリート部２と一体化されてその前面側に位置するポーラスコンクリート部１２と、これら普通コンクリート部２とポーラスコンクリート部１２との間に配置される、畳３、３、畳床または畳表等の畳材とを備える。そして、前記ポーラスコンクリート部１２の表面側には、その表面に植生基材４が保持されるよう、前記植生基材４を保持するための、植生基材保持体５が設けられている。この植生基材保持体５は、普通コンクリート部２に植え込まれた締着部材６、６によって、ポーラスコンクリート部１２側へと締め付けられている。図示実施の形態においては、前記締着部材６、６は、植生基材保持体５の上面に配置した締付板７、７を介して間接的に、植生基材保持体５を締め付けている。
【００２６】
また、前記植生用コンクリートブロック１ａは、前記普通コンクリート部２と前記ポーラスコンクリート部１２との間に配置される、畳３、３、畳床または畳表等の畳材によって、普通コンクリート部２とポーラスコンクリート部１２とが互いに分断されるのを避けるため、両コンクリート部２、１２が一体化する一体部１３を有している。すなわち、普通コンクリート部２の前面には、畳３、３、畳床または畳表等の畳材が、互いに間隔を明けるように複数枚配置されており、前記間隔が明けられた部位に、普通コンクリート部２とポーラスコンクリート部１２とが一体化する一体部１３が形成されている。もっとも、かかる一体部１３は、一枚の畳３、畳床または畳表等の畳材が、この植生用コンクリートブロック１ａのブロック外縁部との間に間隔を明けるように配置されることで形成されてもよいし、また、畳３、畳床または畳表等の畳材に単数もしくは複数の貫通孔を設け、これら貫通孔を通して、普通コンクリート部２とポーラスコンクリート部１２との一体化が許容される連通部が形成されるようにしても構わない。
【００２７】
また、前記ポーラスコンクリート部１２は、モルタルやセメントミルクに、大粒の砕石等の粗骨材およびその他の補強材を混入して製造される、多数の空隙部１２ａ、１２ａを有するものであって、これら多数の空隙部１２ａ、１２ａに土壌が充填され、その土壌に植物１１、１１が根付くことにより、植生部を形成することができる。
【００２８】
ところで、この植生用コンクリートブロック１ａは、ポーラスコンクリート部１２の表面側に、前記植生基材保持体５が設けられている点で、そのような植生基材保持体５が、畳３、３、畳床または畳表等の畳材の表面側に設けられている前記第一の実施の形態の植生用コンクリートブロック１と異なるが、その他の構成は第一の実施の形態の植生用コンクリートブロック１とほぼ同様である。
【００２９】
また、第二の実施の形態の植生用コンクリートブロック１ａに、前記植生基材４としての吹き付け材４ａを吹き付ける方法、および植生基材４から植物１１、１１が発芽して生育する過程も、基本的には、前記第一の実施の形態の植生用コンクリートブロック１で説明したのとほぼ同様である。ただし、この植生用コンクリートブロック１ａは、図６に示すように、擁壁Ｑの法面を構成する、ポーラスコンクリート部１２、１２の表面側に吹き付けられた前記植生基材４としての吹き付け材４ａが、ポーラスコンクリート部１２の表面側に堆積して植生層１０を形成するとともに、ポーラスコンクリート部１２、１２の前記空隙部１２ａ、１２ａに進入して、これら空隙部１２ａ、１２ａに充填される点で、第一の実施の形態の植生用コンクリートブロック１と異なる。よって、図７に示すように、植生層１０を形成する植生基材４から植物１１、１１が発芽すると、植物１１、１１の根１１ａ、１１ａは、ポーラスコンクリート部１２、１２の空隙部１２ａ、１２ａを通って、畳３、３、畳床または畳表等の畳材の位置する側に伸長し、腐食によって有機肥料化した畳３、３、畳床または畳表等の畳材から養分を吸収して、植物１１、１１の生育を促進させることとなる。
【００３０】
このように、第二の実施の形態の植生用コンクリートブロック１ａは、ポーラスコンクリート部１２、１２の空隙部１２ａ、１２ａに、土壌を充填することが可能であるため、それら空隙部１２ａ、１２ａに充填された土壌を利用してもよく、前記植生基材４には、必ずしも、土壌が混入されていなくてもよい。この場合、植生基材４は、吹き付け材４ａからなる必要もなく、例えば、種子、肥料等を不織布とか紙等のシート材に貼り付けたり挟持させてなる植生シートとか、その植生シートを網に取り付けて補強した植生シート網４ｂであっても構わない。植生基材４としての植生シート網４ｂを、ポーラスコンクリート部１２の表面側に保持するには、例えば、図８に示すように、前記植生シート網４ｂが、植生基材保持体５としての枠体５ｂとポーラスコンクリート部１２との間に挟持されるように配置して、植生基材保持体５としての枠体５ｂを、前記締着部材６、６によってポーラスコンクリート部１２側へと締め付けるとよい。
【００３１】
なお、第一および第二の実施の形態の植生用コンクリートブロック１、１ａに保持される植生基材４は、上記した植生シート、植生シート網４ｂ、または吹き付け材４ａに限定されず、例えば、植生マットとか、あるいは、土壌等を詰めた袋状の植生袋４ｃであっても構わない。この植生基材４としての植生袋４ｃは、図９に示すように、植生基材保持体５としての枠体５ｂに備わる、各枠部５ａ、５ａの内側に形成される収容空間Ｓ内に、単数の植生袋４ｃもしくは複数の植生袋４ｃ、４ｃがきっちりと収まるよう収容されることで、前記畳材あるいは前記ポーラスコンクリート部１２の表面側に保持される。このように、植生基材４は、前記植生基材保持体５に保持され得る形態を有するとともに、植物１１、１１の生育を促進する基材となり得るものであれば、特に限定されるものではない。
【００３２】
また、植生用コンクリートブロック１、１ａは、植生を目的とするコンクリートブロックであれば、擁壁用コンクリートブロックに限らず、各種用途のコンクリートブロックに実施が可能である。
【００３３】
また、第一の実施の形態の植生用コンクリートブロック１において、前記コンクリート部は、普通コンクリート部２と、その普通コンクリート部２と一体化されてその前面側に位置するポーラスコンクリート部とから構成されるものであってもよい。この場合、ポーラスコンクリート部は、普通コンクリート部２と、畳３、畳床または畳表等の畳材との間に位置するよう形成され、畳３、畳床または畳表等の畳材は、ポーラスコンクリート部の前面側に取り付けられることとなる。さらに、この実施の態様において、前記普通コンクリート部と前記ポーラスコンクリート部との間にも、畳３、畳床または畳表等の畳材を配置してもよい。
【００３４】
また、第一の実施の形態の植生用コンクリートブロック１において、普通コンクリート部２の内側にポーラスコンクリート部１２が位置するよう構成しても構わない。すなわち、この場合には、図１０に示すように、コンクリート部は、ポーラスコンクリート部１２からなる中心部分と、そのポーラスコンクリート部１２からなる中心部分の側面および裏面を被う、普通コンクリート部２からなる枠部分とを備え、前記畳３、畳床または畳表等の畳材は、ポーラスコンクリート部１２からなる中心部分および普通コンクリート部２からなる枠部分の前面に取り付けられることとなる。
【００３５】
このように、植生用コンクリートブロック１、１ａは、植生基材４から発芽する植物１１、１１に、前記畳３、畳床または畳表等の畳材が有機肥料として機能し得るように、畳３、畳床または畳表等の畳材が、普通コンクリート部２または／およびポーラスコンクリート部１２の前面側あるいはポーラスコンクリート部１２の後面側に、取り付けられていればよい。
【００３６】
また、前記植生基材保持体５は、植生基材４を保持することができる保持体であれば、前記間伐材等の木材を用いて枠組みされてなる木製の枠体５ｂに特に限定されない。例えば、植生基材保持体５は、合成樹脂製あるいは金属製等のネット体であってもよく、これらネット体を、畳３、畳床または畳表等の畳材の表面側またはポーラスコンクリート部１２等のコンクリート部の表面側に、例えば、ピン等の固定部材によって固定して設けるとよい。
【００３７】
また、植生基材保持体５は、前記締着部材６、６によって前記普通コンクリート部２等のコンクリート部側に締め付けられるときに、前記締付板７、７を介して間接的に締め付けられる必要はない。例えば、植生基材保持体５は、その適宜箇所に、締着部材挿通孔を設け、それら締着部材挿通孔に挿通される、普通コンクリート部２等のコンクリート部に植え込まれた締着部材６、６によって、直接的に前記畳材あるいは前記ポーラスコンクリート部１２側に締め付けられてもよい。
【００３８】
さらに、植生基材保持体５は、必ずしも、畳材を前記コンクリート部または前記ポーラスコンクリート部の前面側に取り付けるための、畳材取付体を兼ねる必要はなく、植生基材保持体５とは異なる他の部材が、前記畳材取付体としての役割を果たしても構わない。
【００３９】
【発明の効果】
以上、詳述したところから明らかなように、この発明に係る植生用コンクリートブロックによれば、植生基材の流失が阻止されるとともに、保水性を備えるとともに腐食により有機肥料化する畳材によって、植物の生育が促進される。
【図面の簡単な説明】
【図１】この発明に係る第一の実施の形態の植生用コンクリートブロックの、正面図である。
【図２】同じく、横断面図である。
【図３】同じく、植生層が形成された状態を示す、縦断面図である。
【図４】同じく、植物の根が畳の中まで伸長した状態を示す、縦断面図である。
【図５】この発明に係る第二の実施の形態の植生用コンクリートブロックの、横断面図である。
【図６】同じく、図３相当図である。
【図７】同じく、図４相当図である。
【図８】植生基材としての植生シート網を保持する、他の使用例を示す正面図である。
【図９】植生基材としての植生袋を保持する、さらなる他の使用例を示す正面図である。
【図１０】この発明に係る第一の実施の形態の植生用コンクリートブロックの変形例を示す要部斜視図である。
【符号の説明】
１、１ａ  植生用コンクリートブロック
２  普通コンクリート部（コンクリート部）
３  畳（畳材）
４（４ａ、４ｂ、４ｃ）  植生基材
５  植生基材保持体
５ａ  枠部
５ｂ  枠体
６  締着部材
７  締付板
１０  植生層
１２  ポーラスコンクリート部（コンクリート部）
Ｓ  収容空間
【図１】
0003643530.tif 000002
【図２】
0003643530.tif 000003
【図３】
0003643530.tif 000004
【図４】
0003643530.tif 000005
【図５】
0003643530.tif 000006
【図６】
0003643530.tif 000007
【図７】
0003643530.tif 000008
【図８】
0003643530.tif 000009
【図９】
0003643530.tif 000010
【図１０】
0003643530.tif 000011